(57)【要約】【課題】ＩＣカードデータ記録装置の奥行きが大きくなる。【解決手段】カード収納部３０に収納された収納カード３２は、この収納カード３２の一部をカード通路２３内で停止したＩＣカード２の一部と対向させるとともに、前記カード通路２３内で停止した前記ＩＣカード２との間に隙間４１を有して収納させるものである。これにより、通路内で停止したＩＣカード２と通信を行う場合に、収納カード３２が誘起されることを防ぐことができる。【選択図】図１
2006344008.tif 000002
【特許請求の範囲】
【請求項１】
筐体と、この筐体の側面に設けられたカード挿入孔と、このカード挿入孔に連結されたカード通路と、このカード通路の出口に連結されたカード収納部と、前記カード挿入孔に挿入された非接触型のＩＣカードを搬入・搬出するとともに、前記通路内に設けられるとともに、前記ＩＣカードを搬送するカード搬送部と、このカード搬送部と前記出口との間の通路に設けられたデータ送受信部と、このデータ送受信部と接続されるとともに、前記ＩＣカードから受信した信号が供給される制御部とを備え、前記カード収納部に収納された収納カードは、この収納カードの一部を前記通路内で停止した前記ＩＣカードの一部と対向させるとともに、前記通路内で停止した前記ＩＣカードとの間に隙間を有して収納されたＩＣカードデータ記録装置。
【請求項２】
制御部は、前記データ送受信部から供給された信号で複数のＩＣカードが検出された場合に、前記データ送受信部から出力される信号レベルを小さくする請求項１に記載のＩＣカードデータ記録装置。
【請求項３】
制御部は、データ送受信部から供給された信号で検出されたＩＣカードが一枚のみとなるまで、前記データ送受信部から出力される信号のレベルを順次小さくする請求項１に記載のＩＣカードデータ記録装置。
【請求項４】
制御部は、検出したＩＣカードの枚数に応じて、前記データ送受信部から出力される信号のレベルを小さくする請求項１に記載のＩＣカードデータ記録装置。
【請求項５】
収納カードと通路に停止したカードとが対向する隙間の間に、磁界反射部が挿入された請求項１に記載のＩＣカードデータ記録装置。
【請求項６】
磁界反射部は、通路に対して略平行に摺動自在に設けられたスライド板と、このスライド板のカード収納側先端に設けられるとともに、少なくとも収納カードあるいは通路に停止したカードのいずれか一方と対向するように設けられた磁界反射部材とを有し、少なくともデータ送受信部が信号を送信するときには、前記磁界反射部材がカード収納部へ突出される請求項５に記載のＩＣカードデータ記録装置。
【請求項７】
収納カードと通路に停止したＩＣカードとの間の間隔は、データ送受信部のアンテナと前記通路に停止したＩＣカードのアンテナとの距離より大きくした請求項１に記載のＩＣカードデータ記録装置。
【請求項８】
筐体の奥行きは、カードの長さの２倍より小さくした請求項１に記載のＩＣカードデータ記録装置。
【請求項９】
カード通路には、通路に停止したＩＣカードの有無を検出するセンサを設けるとともに、データ送受信部は、カード収納部の最上部に収納された収納カードとの通信が可能な電力レベルを送信可能とし、制御部は前記センサからＩＣカードが通路にない旨の信号が入力された場合に、前記カード収納部に収納された全収納カードと通信して、それらの収納カードから返信されたそれぞれの収納カードの識別番号を記憶する請求項１に記載のＩＣカードデータ記録装置。
【請求項１０】
筐体と、この筐体の側面に設けられたカード挿入孔と、このカード挿入孔に連結されたカード通路と、このカード通路の出口に連結されたカード収納部と、前記カード挿入孔に挿入された非接触型のＩＣカードを搬入・搬出するカード搬送部と、このカード搬送部と前記出口との間の通路に設けられたデータ送受信部と、このデータ送受信部と接続されるとともに、前記ＩＣカードから受信した信号が供給される制御部とを備え、前記カード収納部は、前記出口の上方あるいは下方のいずれか一方に設けるとともに、前記カード収納部に収納された収納カードの一部と前記通路内で停止した前記ＩＣカードの一部とが対向するように配置されたＩＣカードデータ記録装置のデータ記録方法において、挿入されたＩＣカードを前記通路内において前記データ送受信部と前記ＩＣカードのアンテナとが対向する位置で止め、その後で前記データ送受信部は少なくとも前記通路内に停止したＩＣカードに対して信号が到達可能な信号レベルで信号を送信して複数のＩＣカードを誘起させるとともに、これらの誘起されたＩＣカードから識別番号を含んだ返信信号を受信し、その後で前記制御部が前記返信信号に複数の識別番号を検出した場合には、前記データ送受信部から送信する信号レベルを小さくするＩＣカードデータ記録装置のデータ記録方法。
【請求項１１】
制御部は、前記データ送受信部から送信する信号レベルを小さくした後で、ＩＣカードの識別番号を検出し、この後で検出された識別番号が複数個以上である場合に、送信信号レベルの低下と返信された識別番号の検出とを繰り返し、検出された識別番号がひとつとなった場合に、データ送受信部からＩＣカードへの書き込みを行う請求項１０に記載のＩＣカードデータ記録装置のデータ記録方法。
【発明の詳細な説明】
【技術分野】
【０００１】
本発明は、非接触ＩＣカードへデータの記録を行うＩＣカードデータ記録装置に関するものである。
【背景技術】
【０００２】
以下、従来のＩＣカードデータ記録装置について図面を用いて説明する。図５は、従来のＩＣカードデータ記録装置の断面図である。図５において、筐体１の側面１ａ側に非接触型のＩＣカード２が挿入されるカード挿入孔３が設けられている。
【０００３】
このカード挿入孔３にはカード通路４が連結され、このカード通路４には、ＩＣカード２のアンテナと対向するようにアンテナ５が配置されている。そしてカード収納庫６は、カード通路４の出口の奥側に配置される。
【０００４】
なお、この出願の発明に関連する先行技術文献情報としては、例えば、特許文献１が知られている。
【特許文献１】特開２００１−０３４８１５号公報
【発明の開示】
【発明が解決しようとする課題】
【０００５】
しかしながら、昨今のこのような従来のＩＣカードデータ記録装置では、カード収納庫６が通路の奥に配置されるので、ＩＣカードデータ記録装置の奥行きが大きくなるという課題を有していた。
【０００６】
そこで本発明は、この問題を解決したもので、奥行きの小さなＩＣカードデータ記録装置を提供することを目的としたものである。
【課題を解決するための手段】
【０００７】
この目的を達成するために本発明のＩＣカードデータ記録装置は、カード収納部に収納された収納カードは、この収納カードの一部を前記通路内で停止した前記ＩＣカードの一部と対向させるとともに、前記通路内で停止した前記ＩＣカードとの間に隙間を有して収納されたものである。
【発明の効果】
【０００８】
以上のように本発明によれば、筐体と、この筐体の側面に設けられたカード挿入孔と、このカード挿入孔に連結されたカード通路と、このカード通路の出口に連結されたカード収納部と、前記カード挿入孔に挿入された非接触型のＩＣカードを搬入・搬出するとともに、前記通路内に設けられるとともに、前記ＩＣカードを搬送するカード搬送部と、このカード搬送部と前記出口との間の通路に設けられたデータ送受信部と、このデータ送受信部と接続されるとともに、前記ＩＣカードから受信した信号が供給される制御部とを備え、前記カード収納部に収納された収納カードは、この収納カードの一部を前記通路内で停止した前記ＩＣカードの一部と対向させるとともに、前記通路内で停止した前記ＩＣカードとの間に隙間を有して収納されたＩＣカードデータ記録装置である。
【０００９】
これにより、通路内で停止したＩＣカードとの間に隙間を設けているので、通路内で停止したＩＣカードと通信を行う場合に、収納カードが誘起されることを防ぐことができるので、ＩＣカードデータ記録装置の奥行きがカードの長さの２倍よりも短いＩＣカードデータ記録装置を実現できる。
【００１０】
また、カード収納部に収納された収納カードと通路内で停止した前記ＩＣカードとの間には隙間を設けているので、データ送受信部から送信された信号が、通路内で停止したＩＣカードのアンテナを介して収納カードにまで到達し難くなる。従って、収納カードに対してデータを記録することが少なくでき、通路内で停止しているＩＣカードに対してデータの記録ができることとなる。
【発明を実施するための最良の形態】
【００１１】
（実施の形態１）
本実施の形態におけるＩＣカードデータ記録装置は、例えばパチンコなどのような遊技場における台間機に使用される。この台間機には、ＩＣカードデータ記録装置以外に紙幣識別装置や、硬貨識別装置などが設けられている。そして遊技者は、これらの紙幣識別装置あるいは、硬貨識別装置へ紙幣や硬貨を投入して玉交換を行うが、遊技者は投入金額全てを玉に交換するわけではない。しかしながら、このような台間機においては、つり銭を準備しておくような収納スペースが無いので、つり銭分を残金データとしてＩＣカードに書き込んでおく。そして遊技者は遊技終了後、最終的な残金分を精算カウンタなどで精算することで、残金が返金される。
【００１２】
そしてこのような機器においてＩＣカードデータ記録装置は、遊技者が所有しているＩＣカードへデータを書き込む場合と、ＩＣカードデータ記録装置内に予め収納しておいたＩＣカードにデータを書き込む場合とがある。従って、ＩＣカードデータ記録装置内には、予めＩＣカードを収納しておくことが必要となる。
【００１３】
ここでＩＣカードのサイズは一般的に標準化されており、このＩＣカードとの通信を行うためのスペースや、ＩＣカードの収納に必要なスペースは一義的に決まってくる。ところが、このようなＩＣカードデータ記録装置は、台間機のように幅や奥行きの狭いスペースに収納されるので、小型であることが要求される。従って、ＩＣカードとの通信を行うためのスペースや、ＩＣカードの収納するスペースをＩＣカードデータ記録装置の筐体内に確保することが難しくなる。そこで、本願はこの課題を解決し、小型かつＩＣカードが収納可能な非接触ＩＣカードのデータ記録装置を実現するものである。
【００１４】
以下、本実施の形態におけるＩＣカードデータ記録装置について、図面を用いて説明する。図１は本実施の形態におけるＩＣカードデータ記録装置の断面図である。図１において、筐体２１の側面２１ａには、非接触ＩＣカード２が挿入されるカード挿入孔２２が設けられる。カード通路２３は、カード挿入孔２２と出口２３ａとの間に設けられる。そしてこのカード通路２３のＩＣカード２と対向する壁面側に、カード挿入孔２２側より順に、挿入センサ２４と、カード搬送部２５とが配置される。
【００１５】
ここで、挿入センサ２４は、発光ダイオード２４ａと受光素子２４ｂとより構成され、これらの発光ダイオード２４ａと受光素子２４ｂとはカード通路２３を挟んで上下に配置される。また、カード搬送部２５は、駆動ローラ２６と、３つの受動ローラ２７ａ，２７ｂ，２７ｃとより構成され、受動ローラ２７ａは、駆動ローラ２６と駆動ベルト２８によってベルト掛けされることによって連動して動作する。さらに、受動ローラ２７ｂ，２７ｃの間にＩＣカード２と通信するための送受信アンテナ２９（データ送受信部の一例として用いた）が設けられる。
【００１６】
本実施の形態では、発光ダイオード２４ａ、駆動ローラ２６、受動ローラ２７ａとをカード通路２３の上面側に設け、受光素子２４ｂ、受動ローラ２７ｂ，２７ｃと送受信アンテナ２９とをカード通路２３の下面側に設けている。
【００１７】
カード収納部３０が出口２３ａの奥に連結される。このカード収納部３０には、出口２３ａの上方の位置にカード収納庫３１を有し、このカード収納庫３１には収納された収納カード３２を下方へ押圧するための押圧板３３が、バネ３４によって筐体２１に固定されている。さらに、収納爪３５を４箇所設けている。この収納爪３５は三角形状であり、上面３５ａ側が水平となるように設置される。そして収納カード３２は、収納爪３５の上面３５ａと押圧板３３との間に挟まれた状態で、重ねて収納されることとなる。収納爪３５は、ＩＣカード２を収納庫３１へ収納するためや、収納カード３２をカード通路２３へ排出するために、上下方向へ移動する。
【００１８】
図２（ａ）から図２（ｄ）は、本実施の形態における収納爪３５の動作図である。図２において、図１と同じものは同じ番号を用い、その説明は簡略化している。図２を用いて、以下ＩＣカードをカード収納庫３１へ収納する動作について説明する。
【００１９】
ここで収納爪３５の根元は、スライダ４５に設けられた孔４５ａに挿入される。この孔４５ａにはバネ４５ｂが挿入されており、このバネ４５ｂで収納爪３５が水平に飛び出す方向に付勢されている。これによって、収納爪３５は、水平方向に摺動可能となる。なお、本実施の形態においてスライダ４５には、カム４６が回転自在に取り付けられている。そしてこのカム４６の回転軸は、モータ５２（図４に示す）に対し、減速歯車（図示せず）を介して連結される。これによって、モータ５２の回転に応じて、スライダ４５が上下に動くこととなる。
【００２０】
ここで、ＩＣカード２がアンテナ２９と通信を行う位置にあるときに、図２（ａ）に示すように、ＩＣカード２と収納カード３２との間に隙間４１を設けておく。これにより、アンテナ２９から放出された信号によって、収納カード３２が誘起し難くなる。またこのとき、スライダ３６は上死点の位置としている。これによりＩＣカード２とアンテナ２９とが通信を行うときに、隙間４１が最も大きくなるので、さらにアンテナ２９から放出された信号による、収納カード３２の誘起は起こりにくくなる。
【００２１】
そして、カード搬送部２５で搬送されたＩＣカード２ａをカード収納庫３１へ収納する場合、ＩＣカード２ａは、この隙間４１内に入ってくることになるので、ＩＣカード２を容易にカード収納部３０に搬送できる。そして、カム４６の回転によってさらに収納爪３５が下降すると、図２（ｃ）に示すように、ＩＣカード２ａの先端部２ｂと収納爪３５の下側の傾斜面３５ｂとが当接する状態となる。この状態からさらに降下を続け、傾斜面３５ｂに沿って収納爪３５が孔４５ａへ収納される方向（図示Ａ方向）に押されて、引っ込みながら下降することとなる。
【００２２】
最終的に収納爪３５は、図２（ｄ）に示すように、収納爪３５がカード収納部３０の底板部３０ａに形成された孔３０ｂ内に収納される位置にまで移動し、収納爪３５がＩＣカード２ａよりも下に位置される状態となる。これは、スライダ３６を下死点の位置において、収納爪３５の上面３５ａが底板部３０ａの上面３０ｃよりも下側になるようにすることで実現している。
【００２３】
そして、この状態からカム４６をさらに回転させることで、今度は収納爪３５が上昇し、ＩＣカード２ａは上面３５ａ上に搭載された状態で上昇し、他の収納カード３２とともにカード収納庫３１内へ収納されることとなる。
【００２４】
次に図３は本実施の形態において、収納カードを排出するときのＩＣカードデータ記録装置の断面図である。なお図３において、図１と同じものは同じ番号を用い、その説明は簡略化している。図２、図３において、カード収納部３０の底板部３０ａには、この底板部３０ａに対し平行に摺動可能に設けられた押し出しスライダ３６がある。この押し出しスライダ３６の端部には、収納カード３２の先端部３２ａに当接させる押出し突起３７が設けられている。なおこの押し出し突起３７の高さは、ＩＣカード一枚の厚みより小さくすることで、最下層の収納カード３２のみを押し出すことができる。
【００２５】
なお本実施の形態において、突起３８（磁界反射部の一例として用いた）は、水平方向に摺動でき、隙間４１に出没自在に設けられている。そして、突起３８のＩＣカード２と対向する面には、磁界反射部材３９が貼り付けられている。これにより、送受信アンテナ２９から発射された信号は、磁界反射部材３９によって反射されることとなり、アンテナ２９から送出される信号によって、収納カード３２が誘起され難くできる。なお本実施の形態において突起３８にはバネ４０が連結されており、このバネ４０は、通常突起３８がカード収納庫３１内に飛び出さない方向へ引っ張っている。
【００２６】
次に、本実施の形態におけるＩＣカードデータ記録装置の回路構成とそれらの動作について以下図面を用いて説明する。図４は、本実施の形態におけるＩＣカードデータ記録装置のブロック図である。図４において図１と同じものは同じ番号を用い、その説明は簡略化している。図４において、制御部５１の出力はモータ５２に接続し、モータ５２の回転や回転方向などを制御する。さらに制御部５１は発光ダイオード２４ａに接続される。発光ダイオード２４ａが定期的に発光させた光を受光する受光素子２４ｂの出力は、制御部５１の入力に接続される。そして、ＩＣカード２が挿入されると、発光ダイオード２４ａからの光がＩＣカード２で遮られる。これによって、制御部５１はＩＣカード２が挿入されたことを検出できることとなる。
【００２７】
また、アンテナ２９と制御部との間には送受信回路５３が挿入され、これによってＩＣカード２へ磁界を供給してＩＣカードを誘起させたり、ＩＣカード２から情報を読み取ったり、あるいは、ＩＣカードにデータを書き込んだりする。そして本実施の形態において、ＩＣカード２がアンテナ２９と通信すべき所定の位置にあることの検出のためにも、発光ダイオード２４ａと受光素子２４ｂとの出力を用いている。
【００２８】
次にモータ５２の出力は、クラックギア５４へ連結され、このクラックギア５４の出力を駆動ローラ２６、収納爪３５や押出しスライダ３６などへ接続することでこれらが駆動される。なお本実施の形態におけるクラッチギア５４は、モータ５２の回転方向によって異なるギアと噛み合うギア機構である。そしてモータ５２の回転方向に応じて、駆動ローラ２６、収納爪３５や押出しスライダ３６に対し、ＩＣカード２を収納する動作と、ＩＣカード２あるいは収納ＩＣカード３２を排出する動作とが切り替えられる。
【００２９】
なお、本実施の形態において、突起３８はソレノイド５５に連結され、この突起３８の動作は、制御部５１の出力が接続されたソレノイド５５によって行われる。そして、制御部５１はＩＣカード２がアンテナ２９と通信するタイミングで、突起３８をカード収納庫３１内に突出させる。
【００３０】
また本実施の形態において、アンテナ２９と出口２３ａとの間に、カード検出センサ（図示なし）を配置し、このカード検出センサの出力は制御部５１に接続される。なお、このカード検出センサも発光ダイオードと受光素子とで構成され、カード通路２３内のＩＣカード２の有無を検出するものである。
【００３１】
そしてこのように構成されたＩＣカードデータ記録装置において、ＩＣカード２がカード挿入孔２２（図１）から挿入される場合について説明する。ＩＣカード２が挿入されると、発光ダイオード２４ａの光が遮られる。制御部５１は受光素子２４ｂからの信号によって、ＩＣカード２が挿入されたことを検出し、モータ５２を動作させる。すると、ＩＣカード２は、モータ５２の出力が連結された駆動ローラ２６によってカード通路２３（図１）内へ搬送が開始される。なおＩＣカード２が挿入されていない状態において、収納爪３５は図２（ｄ）に示すように下死点の位置にあり、モータ５２の回転に連動して収納カード３２が上昇していく。
【００３２】
そして制御部５１はセンサ（図示せず）によってカム４６の回転角を検出し、図２（ａ）に示すように、上死点となる位置でモータ５２を停止する。このときＩＣカード２のアンテナ（図示せず）とアンテナ２９とがおおよそ対向するようにする。そして制御部５１は、カード検出センサからカードが有ることを示す旨の信号が入力されるとともに、受光素子２４ｂからＩＣカード２が無い（通過した）ことを示す旨の信号が入力されることで、ＩＣカード２がアンテナ２９と通信可能な停止位置（以降、通信位置という）にあると判定する。
【００３３】
ここで搬入時の駆動ローラ２６は、収納爪３５の動作と連動させている。これは、非接触ＩＣカード２においてアンテナ２９の通信可能である領域は広いので、ＩＣカード２の停止位置は高い位置精度が要求されないためである。これにより、搬入時の駆動ローラ２６に対して単独のモータを設けたりする必要はないので、低価格なＩＣカードデータ記録装置を実現できる。
【００３４】
制御部５１はＩＣカード２が通信位置にあると判定した後に、送受信回路５３を介してＩＣカード２へ起動信号を送信する。するとこの起動信号によって、ＩＣカード２は誘起され、ＩＣカード２から固有の識別番号がアンテナ２９へ返信される。この識別番号は、アンテナ２９によって受信され、送受信回路５３を介して制御部５１へと入力される。このように制御部５１は、識別番号によってＩＣカード２を検知し、その識別番号のＩＣカード２を指定して、書き込むべきデータを出力する。このデータは送受信回路５３を介してアンテナ２９から送信され、ＩＣカード２への書き込みが完了する。なお、ここでは書き込みだけについて説明したが、この通信位置においてデータの書き換えが行われる場合もある。
【００３５】
なおこのとき、通信位置に停止したＩＣカード２の一部と、収納カード３２の一部とが対向するような位置となるようにしている。つまり、通信位置におけるＩＣカード２の先端部が、カード収納部３０内に突出するようにしている。これにより、筐体２１の奥行きをＩＣカード２の長さの２倍より小さくすることができ、小型のＩＣカードデータ記録装置を実現できる。
【００３６】
また、ＩＣカード２が通信位置にあるときに収納爪３５を上死点の位置とすることで、最も下側の収納カード３２とＩＣカード２との間に隙間４１（図１）を設けている。このように隙間４１を有しているので、アンテナから送信される信号はＩＣカード２のアンテナを介して、収納カードまで到達しにくくなる。従って、これら収納カードが誘起されて、返答することを少なくできる。
【００３７】
なお、この隙間４１の間隔は、アンテナ２９とＩＣカード２との間の間隔よりも大きくすると良い。これは、一般に空中に送出された信号のレベルは、距離の２乗に反比例して小さくなる。従って、隙間４１の間隔は、アンテナ２９とＩＣカード２との間の間隔よりも大きくすることで、ＩＣカード２のアンテナを介して、収納カード３２に到達する信号のレベルを小さくできる。従って、これら収納カード３２が誘起されて、返答することを少なくできる。
【００３８】
そして、遊技者が遊技を終了し、カードの返却ボタンを押すと、この返却信号は制御部５１へ入力される。これによって制御部５１はモータ５２を動作させて、カード搬送部２５を駆動し、ＩＣカード２を排出する。
【００３９】
一方、書き換えによってＩＣカード２内の残金が０となった場合には、このＩＣカード２は、カード収納部３０へ収納する。この場合、制御部５１はカード搬送部２５に対して、ＩＣカード２をカード収納部３０側へ搬送する方向へ回転させて、ＩＣカード２を搬送する。そして制御部５１は、収納爪３５が下死点に到達したことを検出すると、カード搬送部の回転を停止させることで、ＩＣカード２がカード収納部３０へ収納される。
【００４０】
次に、収納カード３２を排出する方向の動作について説明する。遊技者が入金した金額に対して、残金が発生した場合、押し出しスライダ３６の突起３７が最下層の収納カード３２をカード収納部３０からカード通路２３へ送り込み、アンテナ２９から信号を送信して残金データを書き込む。
【００４１】
この場合、収納爪３５は下死点位置にあり、収納カード３２はカード収納部３０の底板部３０ａに降下された状態としている。そしてこの状態で、モータ５２によって押し出しスライダ３６をカード挿入孔２２方向へ移動させることによって、押し出し突起３７で収納カード３２の先端部３２ａを押し出し、収納カード３２をカード通路２３へ搬送する。このとき同時に、モータ５２は、駆動ローラ２６を収納ＩＣカード３２が排出される方向へ回転させるとともに、カム４６を回転させて、残った収納カードを上昇させて、カード収納庫３１に収納する。
【００４２】
制御部５１は、カム４６の回転角を検出するセンサ（図示せず）から、カム４６が上死点（図２（ａ）に示す）に到達した旨の信号が入力されると、モータ５２を停止する。そしてこのときに、カード通路２３へ送り込まれた収納ＩＣカード３２のアンテナは、アンテナ２９との通信位置に搬送されており、この位置で残金データの書き込みを行う。
【００４３】
このようにすることによって、収納カード３２に対して、データを書き込む場合においても、書き込むカードと残った収納カード３２との間に隙間４１が形成される。従って、アンテナ２９から放出された信号によって、収納カード３２が誘起し難くなる。
【００４４】
また、制御部５１は、カード検出センサや受光素子２４ｂからの信号で、カード通路２３にＩＣカード２が無いと判定した場合に、収納カード３２へ信号を送信する。そして、これらの収納カード３２全てを誘起させて、予め収納カード３２全ての識別番号を読み込み、メモリなどへ記憶させている。
【００４５】
このようにすれば、アンテナ２９からの信号で、収納カード３２が誘起されて返答したとしても、書き込むべき相手を容易に特定することができる。つまり、制御部５１は検出した全ての識別番号とメモリされた識別番号と比較する。これによって制御部５１は、メモリに格納されていない識別番号が、新しく投入されたＩＣカード２のものであることを識別することが可能となる。従って、制御部５１はこの識別番号を指定してデータを書き込むことができるので、例え複数のカードから返答があっても、挿入されたＩＣカード２に対して確実にデータを書き込むことができる。
【００４６】
さらに本実施の形態では、上記メモリによる比較で未知の固有番号を複数個検出した場合や、収納カード３２にデータの書き込みを行う場合に、制御部５１は送受信回路５３に対して、アンテナ２９から送出する信号のレベルを予め定められたレベルだけ小さくするように指示する。そして制御部５１は、返答された識別番号を検出し、制御部５１は最終的にひとつの識別番号だけを検出できるようになるまで、この動作を繰り返す。これによって、収納カード３２の誘起が無くなり、書き込むべき対象のカード一枚を特定することができる。従って、誤って収納カード３２へデータを書き込むようなことは発生し難くなる。
【００４７】
なお、本実施の形態では、アンテナ２９から送出する信号のレベルは予め定められた値だけ小さくしたが、これは制御部５１が検出した識別番号の数に比例して小さくしても良い。これは、カード一枚の厚みが判っているので、検出した識別番号の数が判れば信号の到達距離をどの程度小さくすべきかが判るためである。これによって、信号レベルを小さくし、識別番号を検出する作業の繰り返し回数を少なくできる。従って、書き込み動作が早くなる。
【００４８】
さらに、本実施の形態において制御部５１は、アンテナ２９で通信を行うときに、磁界反射部材３９を有した突起３８を隙間４１に突出させている。アンテナから送信される信号は磁界反射部材３９によって反射され、ＩＣカード２のアンテナを介して収納カードにまで到達しにくくなる。従って、これら収納カード３２が誘起され、返答することを少なくできる。
【００４９】
以上のような構成によって、本実施の形態ではアンテナ２９から送信される信号によって収納カード３２が誘起され難くなるので、アンテナ２９から放射する信号レベルを大きくすることができる。従って、ＩＣカード２に対して、温度変化などによる信号レベルの変化や、ＩＣカード２の受信感度の変動などによらず、安定して通信することができる。そしてさらに、応答する収納カード３２の数が少なくなるので、検出された識別番号の数によって、アンテナ２９から送出する信号を小さくする場合において、応答するＩＣカードがひとつとなるまでの時間を早くすることができる。従って、応答性の速いＩＣカード記録装置を実現できる。
【００５０】
本実施の形態では、隙間４１や磁界反射部材３９を設けるとか、アンテナ２９からの信号レベルを調整するとか、さらに予め収納カード３２の識別番号をメモリしておくことで、誤ったＩＣカードへのデータ書き込みの対策を行っているので、本来であれば誤ったＩＣカードへの書き込みは無いはずである。
【００５１】
しかしながら、遊技者が誤ってＩＣカードではないカードを挿入した場合であるとか、挿入されたＩＣカードが破損しているような場合や、何らかの故障なども想定し、ＩＣカード２への書き込みが完了し、そのＩＣカード２が排出された後に、データがカード収納部３０に収納されている収納カード３２に書き込まれていないことを念のために確認している。本実施の形態では、アンテナ２９から再度信号を送出し、返答された収納カード３２の識別番号中に、先に書き込んだＩＣカードの識別番号が無いかを比較している。そして制御部５１が、もし書き込んだＩＣカードを、収納カード３２内に検出した場合に、メンテナンスコールのために警告表示を行わせるようにしている。これにより、遊技者が誤ってＩＣカードではないカードを挿入した場合であるとか、挿入されたＩＣカードが破損している場合や、ＩＣカード記録装置自体の故障などの場合に、警告を発し素早く対処することができる。従って、このような事態に対しても装置の信頼度が高くなる。
【産業上の利用可能性】
【００５２】
本発明にかかるＩＣカードデータ記録装置は、装置の奥行きを薄型化できるという効果を有し、パチンコなどのような遊技機間に設置される台間機などに用いるＩＣカードデータ記録装置等として有用である。
【図面の簡単な説明】
【００５３】
【図１】本発明の一実施の形態におけるＩＣカードデータ記録装置の断面図
【図２】（ａ）〜（ｄ）はそれぞれ同、収納爪の動作図
【図３】同、ＩＣカードデータ記録装置の断面図
【図４】同、ＩＣカードデータ記録装置の回路ブロック図
【図５】従来のＩＣカードデータ記録装置の断面図
【符号の説明】
【００５４】
２  ＩＣカード
２１  筐体
２２  カード挿入孔
２３  カード通路
２５  カード搬送部
２９  アンテナ
３０  カード収納部
３２  収納カード
５１  制御部
【図１】
2006344008.tif 000003
【図２】
2006344008.tif 000004
【図３】
2006344008.tif 000005
【図４】
2006344008.tif 000006
【図５】
2006344008.tif 000007